(57)【特許請求の範囲】
【請求項１】
エアゾル容器からエアゾル製品を供給するためにエアゾルバルブを作動する作動装置であって、次の構成を備える改良作動装置。
・エアゾル容器に取り付けるためのマウンティングをもつベース
・エアゾルバルブと末端の開口部との間に伸びるノズル通路を定めるノズルであり、前記ベースのフレキシブルな壁に取り付けられて旋回することができ、それによって前記エアゾルバルブを作動するノズル
・一つにまとまった作動ボタンであり、剛性のある作動上面、およびその作動上面を支える、やはり剛性のある側壁を備え、その側壁に作動ボタンオリフィスがある作動ボタン
・前記作動ボタンは、前記ベースに回転可能に取り付けられ、前記ノズルを覆い、しかもまた、その作動ボタンが、前記ベースに対してロック位置とロック解除位置との間を動くように回転すること
・前記作動ボタンが前記ロック解除位置に回転し位置するとき、前記作動ボタンオリフィスが前記ノズルの末端の開口部と一直線上に並ぶこと
・前記一つにまとまった作動ボタンは、前記ロック解除位置に回転しているとき、前記ベースに対して相対的に動くことができ、それによって、前記ノズルに当たりノズルを動かして前記エアゾルバルブを作動し、エアゾル容器から前記端末の開口部および前記作動ボタンオリフィスを通してエアゾル製品を供給するようになっていること
・前記一つにまとまった作動ボタンは、前記ロック位置に回転しているとき、前記ノズルを動かすことができないようになっていること
【請求項２】
前記ベースが共通の軸線回りに設けた外側リングと内側リングとを含み、それら外側および内側の両リング間にリング空間があり、前記作動ボタンは、前記ベースのそれら外側リングと内側リングとの間の前記リング空間の中を動くことができ、それによって、前記ノズルに当たりノズルを動かして前記エアゾルバルブを作動し、前記端末の開口部からエアゾル製品を供給する、請求項１のエアゾルバルブを作動するための作動装置。
【請求項３】
前記ベースの一部分から、前記ベースの軸線に向かって内側方向に伸びる橋があり、前記作動ボタンは、その橋の回りに傾き、それによって、前記ノズルに当たりノズルを動かして前記エアゾルバルブを作動しエアゾル容器からエアゾル製品を供給し、そしてまた、前記作動ボタンは、前記ロック位置に回転しているとき、前記ベースの橋の回りに傾くことが禁止されている、請求項１のエアゾルバルブを作動するための作動装置。
【請求項４】
前記ベースが間にリング空間を定める外側リングと内側リングとを含み、そのリング空間の一部に橋があり、しかもまた、前記剛性のある側壁の一部が前記リング空間の中に伸びて前記橋に係わり、前記作動ボタンは、その作動上面を押すことに応じて、前記ベースの橋の回りに傾き、それによって、前記ノズルに当たりノズルを動かして前記エアゾルバルブを作動しエアゾル容器からエアゾル製品を供給し、そしてまた、前記作動ボタンは、前記ロック位置に回転しているとき、前記ベースの橋の回りに傾くことが禁止されている、請求項１のエアゾルバルブを作動するための作動装置。
【発明の詳細な説明】
【発明の背景】
【０００１】
発明の分野
この発明は、エアゾル製品を供給する技術に関し、さらに詳しくは、改良したエアゾル作動装置であって、ベースに関連して回転する作動ボタンをもち、エアゾル容器からエアゾル製品の供給を可能にし、そして、禁止するようにしたものに関する。
【０００２】
関連技術の説明
エアゾル供給装置は、エアゾル容器の中にエアゾル製品とエアゾルプロペラントを含んでいる。エアゾルバルブは、エアゾルプロペラントが与える流体圧力によってエアゾル容器からエアゾル製品の供給を制御するためのものである。
【０００３】
エアゾルバルブは、閉位置に付勢されている。バルブステムがエアゾルバルブと協力し合ってエアゾルバルブを開く。作動装置（アクチュエータ）がバルブステムとかみ合ってエアゾルバルブを開き、エアゾル容器からエアゾル製品およびエアゾルプロペラントを放出し供給する。エアゾル製品およびエアゾルプロペラントは、噴霧ノズルを通してエアゾルバルブから供給される。一般に、エアゾル製品とエアゾルプロペラントとは、エアゾル容器の共通の部分に入っている。
【０００４】
エアゾル容器からエアゾル製品の供給を許したり禁止したりするためのエアゾル作動装置の従来例について、次のような米国特許が示している。  
【０００５】
アブプラナルプの米国特許第２，６７８，１４７号は、スプレーつまり霧の形態で供給するエアゾルと区別される、泡状の形態でのエアゾル供給技術を示している。その技術は、泡状態で供給することが望まれる他の多くのいろいろな材料だけでなく、クリーム、ペーストおよび泡の形態の化粧品類と共に特に適用される。その技術の目的は、エアゾル加圧容器に取り付け、非常に効率が良く、使いやすく、簡単に操作することができる供給ヘッドを提供すること、しかもまた、搬送あるいは取扱い中に不注意に材料を供給してしまうことを防止すること、である。後でもっと詳しく述べるが、搬送カートンの中であるいは展示のために、その供給ヘッドを備えた容器を互いに積み重ねたとしても、どれからも材料を放出する危険性がないのが、その技術の特徴である。
【０００６】
アブプラナルほかの米国特許第３，１８５，３５０号は、エアゾル供給装置を示し、さらに詳しくは、新しい形態のバルブ作動装置およびそれに用いる保護フードを示している。その技術では、タブキャップとフードとを相対的に異なる位置に調整するように構成している。それにより、特には、供給装置の搬送中、あるいは貯蔵期間中、バルブ作動装置をロックして不用意に操作しないようにし、また、供給装置のバルブを開にしエアゾル材料を連続的に供給するような位置に作動装置を保持するようにし、さらには、バルブ作動装置は使用者が望むような比較的に短い周期で間欠的に作動することができるようにしている。
【０００７】
ブラウンの米国特許第３，３２５，０５４号は、エアゾルバルブの作動装置を示し、さらに詳しくは、作動装置を作動状態に位置させるまでは、バルブを作動しようとしてもあるいは偶発的にも作動しないような構成の作動装置を示している。
【０００８】
メッシュバーグの米国特許第３，４８４，０２３号は、バルブ付きの加圧容器を装備するハウジングを含む供給手段を示している。ハウジングは、供給ボタンを供給位置および非供給位置において回転およびスライド可能に支持する。ボタンには、その側面に供給のためのオリフィスつまりノズルがあり、しかもまた、横に突き出たコントロールタブがある。ボタンを供給位置にすると、オリフィスが露出しハウジングの小さな孔にタブが整列する。それにより、ボタンを内部に動かしバルブを作動し容器から内容物を供給する。外の位置にあるボタンを手動あるいは自動的に回転し非供給位置にすると、ハウジングのフレキシブルな壁にノズルが当たり、その壁をこすりつけシールし、また、コントロールタブがハウジングにかみ合ってボタンの操作を防ぐ。
【０００９】
ラミスの米国特許第３，５９１，１２８号は、バルブアセンブリの一部をバルブステム回りに回転可能にすることによって、加圧下にある容器（たとえば、エアゾル容器）から偶発的に流体が放出されることを防ぐことを示している。ある回転位置では押しボタンを押し下げることができるのに対し、別の回転位置では容器のネック部と押しボタンとが互いに向かい合うように接して、そのような動きを防ぐ。
【００１０】
ブランクの米国特許第３，７４４，６８２号は、安全上蓋に関し、エアゾル容器に取り付けることによって、作動手段の回転をロックし、たとえば子供のような無知な使用者が彼らおよび他の人たちに害になる製品を供給することを防ぐようにしたものを示している。
【００１１】
クープライダーの米国特許第３，７９７，７０５号は、供給装置の作動装置であり、容器の閉じキャップの開口を通して動き、しかも、作動装置の動き方向に伸び、径方向に曲がる丈夫な指状ロック部材を備えたものを示している。径方向の変形をし、その自由端は、それが環状の台の軸方向の上端に載る作動位置になるようになっている。また、自由な非作動位置において、指状の部材は、作動装置とそれを取り巻く環状の台との間にある空間の中に伸び、自由に動くことができる。指状の部材および台の上に協力するカム手段がある。そのカム手段は、作動装置の回転の一方向に作用し、指状の部材の自由端を径方向外側のロック位置に押しやる。そして、カム手段は、作動装置の回転の反対方向に作用し、指状の部材の自由端を径方向内側の解放位置に押しやる。
【００１２】
メッシュバーグの米国特許第３，８４８，７７８号は、作動アセンブリを構成するハウジングに据え付けた作動ボタンを示し、作動アセンブリ自体はバルブ付きエアゾルあるいは他の容器に固定されている。その作動ボタンは、非供給位置と供給位置との間を回転可能である。作動ボタンが非供給位置にあるとき、作動アセンブリの協力部分がロック手段を構成し、作動ボタンの回転を確かに防ぎ、と同時に、ブロック手段が供給バルブの動きを防ぐ。一方、協力部分との連動がなくなりロック手段が機能しなくなると、作動ボタンは同時にブロック手段から自由になり供給位置に回転する。それにより、作動ボタンを押したり傾けることにより、バルブを作動し、容器から製品を供給する。制限手段がロック手段の協力部分の動きを相対的に制限し、それが永久変形することを防ぐ。また、分離タブが移動するまでは、そのタブがロック手段の機能を守る。作動アセンブリは、ロック手段を包み隠すような形をしており、子供が思いがけずバルブを操作することを防ぐ。大きな径の容器には、代わりの実施例が適用される。
【００１３】
マルコンの米国特許第３，９６７，７６０号は、エアゾル供給装置のための作動キャップアセンブリを示す。キャップは、その上に形作った滑り面をもつ本体を含み、その滑り部分を直線運動するように可動の移動部材が置かれている。移動部材は、エアゾル供給装置の作動ボタンを作動することができる第１の位置と、その作動ボタンを作動することができない第２の位置との間を移動可能である。
【００１４】
スターレットの米国特許第４，０２４，９８８号は、安全キャップアセンブリを示す。そのアセンブリは、回転可能に支持され、エアゾル容器のバルブ端部を実質的に囲む上蓋を備える。アセンブリは、噴霧口を伴うバルブ作動タブを含み、タブを押したときに容器の内容物を噴霧口から供給する。タブに関係するキーエレメントが、ある条件の下でその押下げを防ぐ。上蓋に関係するカラー部材がある。そのカラー部材は、容器のバルブ端部に回転しないように支持されている。そして、カラー部材は、ブロック位置を構成する側板と、容器の軸線方向に平行な方向に弾性変形するロックアウトばねと、そのロックアウトばねの上に形作った直立キャッチとを備える。バルブ作動タブは、キーエレメントがＣ形状のリングの自由端を邪魔することにより、通常は操作することができない。リングはカラー部材に支持され、その自由端は、通常時、キーエレメントとカラー部材のブロック位置との間に力を与えている。そのリングは、容器の軸線に垂直な面に沿って弾性変形する。リングには、その垂直な面に突出する脚部分がある。その脚部分は、上蓋の回転に応じて、上蓋の内側に当たることにより、容器の軸線から外側に離れるようにリングの自由端を曲げる。それによって、タブのキーエレメントとの干渉を取り除く。
【００１５】
ディロレトの米国特許第４，４１８，８４２号は、加圧エアゾル供給装置などに用いる作動キャップについて子供のいたずらをなくすようにするため、キャップと容器に固定したカラーとが一定の整列関係になったときだけ作動する技術を示している。使用者に整列信号を知らせるため、何も音を出さない空空間に続くフレキシブルなブレードが所定数の音を生じる。
【００１６】
メッシュバーグの米国特許第４，３２４，３５１号は、供給位置と非供給位置との２つの停止部材の間を回転するボタンを備える供給作動装置を示している。ボタンには両停止部材に当たるタブがあり、供給位置にある停止部材を乗り越さないようにする。そのタブは、内側に伸びるリップを含み、そのリップが停止部材に当たる。ボタンには、また、ボタンの内側端部の外周にフラッシュバーを設けることができる。そのフラッシュバーは、孔の内側に摩擦接合するので、ボタンをハウジングの外に落とすことなく、容器およびバルブの上に作動装置を自動的に組み付けることができる。
【００１７】
レイナーの米国特許第４，５４２，８３７号は、エアゾル容器用の作動装置として、上下の回転部分をもち、それらが作動位置と非作動位置との間を回転するようにした技術を示している。作動位置に回転すると、作動部材がカム作用によって、それがアーム部材に当たる位置まで持ち上がり、それによって、エアゾル容器のバルブを作動することができる。一方、非作動位置に回転すると、作動部材がカム作用によって、それが上方の回転部分と同じ高さであり、アーム部材と当たらない位置まで降下させられる。それによって、エアゾル容器のバルブを作動することができなくなる。
【００１８】
スツーディの米国特許第４，７７３，５６７号は、流体供給装置のバルブ作動装置として、オフ位置とオン位置とに選択する停止部材と支えとを含むものを示している。オフ位置ではバルブが開かないようにし、また逆に、オン位置ではバルブが開くようにする。作動装置は、また、手動のラッチ爪とキャッチとを備える。それらは留め金をかけるようにかみ合い、爪をキャッチとのかみ合いを外す場合を除いて、作動装置がオフ位置にあるとき、位置が変わらないようにする。
【００１９】
アボットほかの米国特許第５，３８８，７３０号は、エアゾルあるいはポンプ供給の容器用のロック可能な作動機構を示している。ロック可能な作動機構は、容器に固定したカラーと、そのカラーに軸心を一にして支持した作動プランジャとを備える。カラーには肩があり、その上に作動プランジャが回転して乗るとき、押し下げることができないロックした安全位置となる。プランジャより上のカラーの部分にタブがあり、そのタブは、プランジャがハウジングから外れることを防ぎ、しかも、肩の上の止め金と協力し合って、プランジャを肩の上に止め、プランジャが回転し作動位置戻らないようにする。タブがあるので、バルブステム上に作動プランジャを摩擦ばめにする必要がない。作動プランジャの内部に環状の肩があり、押し下げた位置でその肩に対してバルブステムが接する。非供給位置では、バルブステムと環状の肩との間にすき間ができ、作動プランジャが押すことにより、バルブステムが不用意に押し下げられたり傾けられたりしないようになっている。強いばね力によってバルブステムを環状の肩に向かって付勢しているので、作動時には確実なシールをすることができ、また、プランジャを押し下げないときにはバルブ機構を閉じる。
【００２０】
デマレストほかの米国特許第５，６４９，６４５号は、上蓋スプレーアセンブリおよびその製造方法を示している。その上蓋スプレーアセンブリは、作動装置と上蓋とを含む。作動装置には、本体とスプレーアームとがある。容器のバルブカップリムを本体に付属させるのが良い。本体の周囲を取り囲むようにスカートが伸びる。少なくとも一つの作動出入り口によって、スカートを通して本体の内部までの出入りができる。作動装置のスプレーアームは、作動出入り口を通して外に直接噴霧するようにしたノズルをもつ。上蓋は、本体のスカートに対し、それと同軸に旋回可能に取り付ける。上蓋の壁は、上蓋のドーム部分の外側周辺から下方に伸びる。上蓋にもまた、少なくとも一つの上蓋出入り口がある。その上蓋出入り口は、開き位置と閉じ位置との間を動く。上蓋出入り口は、開き位置において、作動出入り口と整列し、その作動出入り口を通してノズルによって直接噴霧することができる。そして、閉じ位置では、作動出入り口を上蓋の壁が遮る。ロック部材が、本体および上蓋の一方から伸び、それらの他方のロック口に突き出るように入るようにすると良い。ロック口を出入り口にするのが良い。ロック部材はロック解除位置をとる。そのロック解除位置では、ロック部材が向かい合う他方のロック口に入り込まず、上蓋は本体の上を自由に回転することができる。また、ロック位置になると、ロック部材は、他方のロック口に整列し、突き出るようにその中に入り込み、上蓋がそれ以上回転しないようにする。
【００２１】
ルンドの米国特許第５，９１８，７７４号は、容器本体、作動装置、および容器本体と作動装置との間のシュラウドを備えるスプレーパッケージを示している。作動装置はノズルを備え、そのノズルを作動装置の長手方向の軸線回りに回転することによって、ロック位置とロック解除位置とに調整することができる。ロック解除位置では、作動装置を垂直方向に動かし、パッケージから製品を供給することができ、そしてまた、ロック位置では、作動装置が垂直方向に動くことを邪魔し、パッケージから製品を供給することを禁止する。ロック位置では、同時に、シュラウドに接続しその上に伸びるノズルおよびアンチクロッグ部材が協力し合う。アンチクロッグ部材は、内側面にノズルシールをもち、そのシールがノズルに接触するとき、製品をノズルの内部およびノズル回りに閉じ込めることを禁止する。
【００２２】
ベチソン，ジュニアの米国特許第５，９５７，３３７号は、子供のいたずらをなくすようにしたエアゾル噴霧装置を示している。その安全な装置は、エアゾルスプレー缶に適用し、スプレー缶から一方向のみ、あるいは限られた数の望む方向に噴霧する。噴霧の方向は、スプレーヘッドの特性およびマウンティングカップの連結特性にしたがう。関連する整列がなされるとき、噴霧を起こすことができる。スプレーヘッドとマウンティングカップとが整列しないときには、噴霧を起こすことができない。
【００２３】
ベチソン，ジュニアの米国特許第５，９７１，２１４号は、子供のいたずらをなくすようにした噴霧技術であり、上蓋付きのエアゾル噴霧装置を示している。その安全な装置は、エアゾルスプレー缶に適用し、スプレー缶から一方向のみ、あるいは限られた数の望む方向に噴霧する。噴霧の方向は、スプレーヘッドの特性およびマウンティングカップの連結特性にしたがう。関連する整列がなされるとき、噴霧を起こすことができる。スプレーヘッドとマウンティングカップとが整列しないときには、噴霧を起こすことができない。
【００２４】
田中の米国特許第５，９７１，２３０号は、エアゾル容器に用いる噴霧量調節ノズルを示している。エアゾル容器の内容物の噴霧量は、ノズル本体の押込み深さに応じて、二段階に増減するように調節することができる。ノズル本体の押込み深さによって、少量を噴霧する場合と、多量を噴霧する場合とに確実にセットすることができる。噴霧量調節ノズルは、エアゾル容器の口に取り付けるマウンティング部分と、流量制御バルブのバルブステムの突出部分に取り付けるノズル本体とを備える。ノズル本体は、第１の成形ヒンジによってマウンティング部分に連結する。また、可動のばね板を第２の成形ヒンジによってマウンティング部分に連結する。可動のばね板が作動姿勢にあるとき、ノズル本体の押込み深さは小さくなり、また、可動のばね板が落ち込んで引っ込んだ姿勢のとき、ノズル本体の押込み深さは大きくなる。
【００２５】
バージほかの米国特許第６，２９９，０２７号は、バルブ制御供給クロージュアを示している。押しバルブ供給クロージュアは、容器の口に取り付け可能なベースを含む。バルブがベースの内部に取り付けられ、キャップが協力するようにベースの上に乗っている。それにより、バルブがベースに対して回転し、ロック位置とロック解除位置との間を動く。ロック解除位置には、ベースとの関係で第１の閉じ位置と第２の開き位置とがある。ベースには、一般に円錐形状の断面の壁をもつ供給通路がある。バルブは、その円周部分にばね力を受けるフランジ部分を含み、円錐形状の壁に着座するようになっている。キャップには供給口があり、バルブをロック解除位置にし、供給口を開いた後で、キャップをバルブに対して回転すると、バルブ上のパネルが供給口を閉じる。
【００２６】
アルビセッチの米国特許第６，３０２，３０２号は、ロック可能な供給ヘッドおよびそれを備えた供給装置を示している。その供給ヘッドおよび供給装置は、流体製品を供給するためのヘッドを備える。供給ヘッドは、自由端を製品を入れるリザーバに固定したバンドを含む。また、供給ヘッドは、供給バルブ、およびそのバルブを開くように制御する押しボタンを備える。押しボタンには、操作面、およびバルブに連絡する供給口がある。装置については、押しボタンをバンドと関連する配置とし、また、押しボタンを製品の供給を許す作動位置、あるいはバルブを作動させないロック位置とに選択的に位置させる。押しボタンとバンドとは、バンドの自由端を通してのみ押しボタンを取り付けたり取り外すことができるように構成されている。
【００２７】
クラークほかの米国特許第６，５２３，７２２号は、たとえばエアゾルあるいはポンプ噴霧用であり、サポート、そのサポートに取り付ける流体出口、第１の端部に流体出口を連結し、第２の端部に流体源に連結する通路を備える容器に用いる噴霧ヘッドを示している。通路は、使用する時、第１の非作動位置と第２の位置との間を動く。第２の位置において、その通路は流体源に連結され、流体が通路を通して流体出口に向かって流れる。サポートに関連して取り付けた部材、その部材は非作動位置と、通路を第２の位置にする別の位置との間を動く。選択的にロックをすることができ、その部材を第１の位置にロックし、ロックが解除されないならば、ロックによって、部材が通路を第２の位置に位置させようとするのを防ぐ。
【００２８】
メタル  ボックス  ピィー．エル．シィーの欧州特許ＥＰ  １１９，０８４号は、作動位置と非作動位置との間を回転可能な上下の各部分を備えるエアゾル容器用として、「スプレー−ドーム」タイプの作動装置を示している。作動装置の上部分が作動部材を保持している。その作動部材は、作動装置を非作動位置から作動位置に動かすとき、作動装置の両部分の表面のカム作用によって高い位置に動く。その結果、作動部材が押し込まれ、エアゾルバルブを作動する。それに対し、作動装置が非作動位置にあるときには、作動部材は、押し込まれた位置にあって、エアゾルバルブを作動することができない。
【００２９】
ティラム  キミアの欧州特許ＥＰ  ４０９，４９７号は、エアゾル缶に用いる、カバーおよび管状の本体を備えるキャップを示している。エアゾル缶の上に取り付ける管状の本体には、缶の内容物を放出するために、直立したバーと水平になったバーダクトとが入っている。放出バルブステムを作動するため、開き位置と閉じ位置とに配置可能なカバーの中に、レバー機構が組み入れられている。開き位置において、押し込まれたカバーの上部分が放出バルブステムを作動し、内容物を放出する。カバーの上部分が閉じ位置に動くと、偶発的にも放出バルブステムを作動することはできない。カバーが開き位置および閉じ位置に到達すると、耳に聞き取れる音を生じる。
【００３０】
プラスチカム  ビィー．ヴィ．の欧州特許ＥＰ  ５０３７３５号は、エアゾル缶とそのエアゾル缶上に載せたキャップとの組合わせについて示している。キャップはシェルを備え、そのシェルは下方の自由端の近くに少なくとも一つのロックリップを備える。ロックリップはエアゾル缶の上方端部に設けたカラーの下にかみ合う。この場合、キャップは、キャップの残りの部分に回転可能に結合した作動アームを備え、エアゾル缶のバルブを作動するようになっている。そのように配列されているため、作動アームを回転すれば、エアゾル缶の内容物がバルブを通して放出される。特徴的には、シェルの一部分に固定した羽根が、キャップのシェル内部にある。羽根は、シェルの残りの部分との関係から、内側に押される。缶の上に置いたキャップ部分が押されていないとき、羽根の下方の境界端がエアゾル缶の部分に接し、羽根は作動アームの下方の境界端のちょうど下に位置し、そのアームをロックする。羽根を支えるシェル部分に力を加え、シェル部分を内側に押すと、羽根の下方の境界端が、少なくともエアゾル缶の中心軸にほぼ平行に伸びる回転軸の回りを回転する。と同時に、その境界端は、それに接するエアゾル缶の部分に沿って、作動アームが下方に回転可能な位置まで動く。
【００３１】
ユニルエバー  ピィーエルシィーの欧州特許ＥＰ  １２１９５４７号は、たとえばエアゾルあるいはポンプ噴霧用であり、サポート、そのサポートに取り付ける流体出口、第１の端部に流体出口を連結し、第２の端部に流体源に連結する通路を備える容器に用いる噴霧ヘッドを示している。通路は、使用する時、第１の非作動位置と第２の位置との間を動く。第２の位置において、その通路は流体源に連結され、流体が通路を通して流体出口に向かって流れる。サポートに関連して取り付けた部材、その部材は非作動位置と、通路を第２の位置にする別の位置との間を動く。選択的にロックをすることができ、その部材を第１の位置にロックし、ロックが解除されないならば、ロックによって、部材が通路を第２の位置に位置させようとするのを防ぐ。
【００３２】
ユニルエバー  ピィーエルシィーの欧州特許ＥＰ  １３２３６４４号は、たとえばエアゾルあるいはポンプ噴霧用であり、サポート、そのサポートに取り付ける流体出口、第１の端部に流体出口を連結し、第２の端部に流体源に連結する通路を備える容器に用いる噴霧ヘッドを示している。通路は、使用する時、第１の非作動位置と第２の位置との間を動く。第２の位置において、その通路は流体源に連結され、流体が通路を通して流体出口に向かって流れる。サポートに関連して取り付けた部材、その部材は非作動位置と、通路を第２の位置にする別の位置との間を動く。選択的にロックをすることができ、その部材を第１の位置にロックし、ロックが解除されないならば、ロックによって、部材が通路を第２の位置に位置させようとするのを防ぐ。
【発明の開示】
【発明が解決しようとする課題】
【００３３】
したがって、この発明の目的は、ロック解除位置とロック位置との間を回転移動し、エアゾル製品の供給を許し、そして禁止する作動ボタンを含む作動装置の改良技術を提供することにある。
【００３４】
また、この発明の他の目的は、作動ボタンをもつ作動装置であって、ロック解除位置に回転したとき、エアゾル製品を供給するように傾けることができ、また、回転しロック位置に動かしたとき、作動ボタンを傾けることができないようにした改良技術を提供することにある。
【００３５】
この発明のさらに他の目的は、作動ボタンをもつ作動装置であって、作動ボタンを回転しロック解除位置に動かしたとき、作動ボタンをそのままそっくりと傾けるようにした改良技術を提供することにある。
【００３６】
さらに、この発明の他の目的は、作動ボタンをもつ作動装置であって、堅く変形しない作動上面をもち、その作動上面を押し込むことによって、一体の作動ボタンの全体を傾けるようにした改良技術を提供することにある。
【００３７】
上述したことは、この発明により関連したいくつかの目的の大要を述べたにすぎない。それらの目的は、この発明に関連する特徴および出願内容のいくつかを単に例証したものにすぎない。この発明の考え方の範囲内でここに示す発明を異なるやり方で適用することによって、他の多くの有益な成果を得ることができる。したがって、この発明の他の目的については、この発明のサマリ−、ならびに好適な実施例を示す詳細な説明を通して充分に理解することができるであろう。
【発明のサマリ−】
【００３８】
この発明の具体的な実施例を添付の図面に示す。この発明を要約すれば、この発明は、エアゾル容器からエアゾル製品を供給するためにエアゾルバルブを作動する作動装置の改良に関する。改良した作動装置は、エアゾル容器に固定するためのマウンティング（取付け部材）をもつベースを備える。ノズルは、エアゾルバルブと末端の開口部との間に伸びるノズル通路を区画する。作動ボタンは、ベースとの関係で回転可能であり、ロック位置とロック解除位置との間を回転して動く。作動ボタンは、回転しロック解除位置にするとき、ベースとの関係で傾かせ、エアゾルバルブを作動しエアゾル容器からエアゾル製品を末端の開口部から供給することができる。作動ボタンは、回転しロック位置に動かすと、その全体をベースに対して傾けることができない。
【００３９】
好ましくは、作動ボタンを一体で堅く変形しない構成にするのが良い。一つの実施例の作動ボタンでは、剛性のある側壁によって、堅く変形しない作動上面を支持するようにしている。作動ボタンを回転しロック解除位置にするとき、作動上面を押し込むことにより一体の作動ボタンをベースに対して実質的に全体を傾け、エアゾルバルブを作動し、エアゾル容器からエアゾル製品を供給することができる。
【００４０】
この発明のより具体的な実施例では、ノズルに第１端と第２端との間に伸びるノズル通路がある。ノズル通路の第１端はエアゾル容器につながり、ノズル通路の第２端が末端の開口部となる。
【００４１】
この発明の他の具体的な実施例では、ベースが、同軸の外側リングと内側リングとを備え、それらの間にリング状の空間を定めている。作動ボタンは、ベースがもつ外側リングと内側リングとの間を回転するように配置されている。外側リングと内側リングとの間に橋が伸びているが、その橋はベースの第１の部分に配置されている。その橋は、作動ボタンを回転してロック解除位置にするとき、作動ボタンを傾けることに応じて、作動ボタンの第２の部分をリング状の空間に動かしつつ、作動ボタンの第１の部分がその空間に動くのを禁止する。
【００４２】
この発明の一つの実施例において、ノズルは、ベースに弾力的に支持されており、それを回転することにより、エアゾルバルブを作動するようになっている。作動ボタンには、その側壁に孔（オリフィス）が開いている。作動ボタンのオリフィスは、作動ボタンを回転しロック解除位置にするとき、末端の開口部と一直線に並ぶ。作動ボタンのオリフィスは、作動ボタンを回転しロック位置にするとき、末端の開口部を覆う。
【００４３】
この発明の別の実施例において、作動ボタンは、ノズルをその作動ボタンに支持するためのサポートを備える。末端の開口部は、その作動ボタンの側壁内部に開けられている。作動ボタンに設けた末端の開口部は、作動ボタンを回転しロック解除位置にするとき、ベースの上方に位置する。
【００４４】
以上、この発明に関連する重要な特徴について概説した。それによって、これに続く詳
細な説明を良く理解し、この発明の貢献を充分に評価することになろう。この発明のさら
なる特徴（この発明の主題を構成する特徴）について、以下にも説明する。いわゆる当業
者であれば、ここに示す考え方および具体的な実施例に基づいて、この発明の同じ目的を
達成するために、変形したり他の構成を採用することによりこの発明を容易に利用するこ
とができるであろう。また、当業者であれば、そのような等価の構成が、この発明の考え
方から外れないことを理解することであろう。
【詳細説明】
【００４５】
図１および図２は、この発明の第１の実施例であって、エアゾルプロペラント１２を含むエアゾル製品１１を供給するための改良した作動装置１０を示している。第１の実施例である改良作動装置１０は、軸線１３に対して左右対称である。エアゾルバルブ２０は、バルブステム３０を通して流れるエアゾル製品１１の流れを制御する。エアゾル製品１１およびエアゾルプロペラント１２は、エアゾル容器４０の中に貯えられている。エアゾルプロペラント１２としては、エアゾル供給装置に用いるどのものをも用いることができ、たとえば炭化水素やフッ化炭化水素などの液化プロペラント、および二酸化炭素、窒素あるいは他の適切な圧縮ガスを用いることができる。
【００４６】
エアゾル容器４０は、通常の設計および材料からなる、小さなアルミニウム製の円筒形の容器である。エアゾル容器４０を通常の設計の小さなアルミニウム製の円筒形容器として示しているが、この発明の改良作動装置１０では、いろいろな設計のエアゾル容器を用いることができる。
【００４７】
エアゾル容器４０は、上方部分４１から下方部分４２にまで広がり、それら上下部分４１，４２の間に円筒形の側壁４３がある。端壁４４がエアゾル容器４０の下方部分４２を閉じている。エアゾル容器４０の上方部分４１は、ネック４５へと径方向内側に先細りになり、ビード４６で終わっている。ビード４６は、エアゾル容器４０の開口４７を形作り、そこにマウンティングカップ５０を受け入れるようになっている。
【００４８】
マウンティングカップ５０の周辺部にはリム５２があり、エアゾル容器４０のビード４６を通常の方法でシールしている。マウンティングカップ５０には、また、小塔状の部分５４があり、そこにエアゾルバルブ２０を入れる。
【００４９】
エアゾルバルブ２０は、マウンティングカップ５０の小塔状の部分５４に通常の方法で固定した弁胴を含む。弁胴２２は、内部に弁キャビティ２４を定め、その弁キャビティ２４はディップ管２６を通してエアゾル容器４０と連通している。エアゾルバルブ２０は、内部の弁キャビティ２４の中に弁体２８を含む。ばね２９が弁体２８を閉じ位置に付勢し、エアゾル製品１１がバルブステム３０を通して流れることを禁止する。
【００５０】
バルブステム３０は、第１端３１から第２端３２にわたって伸びる。バルブステム３０は、その内部に伸びるステム通路３４、および外側表面３３を形作る。ステム通路３４は、エアゾルバルブ２０からバルブステム３０の第２端３２までを連通する。バルブステム３０の第１端３１は、通常のように弁体２８と協力し合う。バルブステム３０を押し込むと、ばね２９の力に抗して弁体２８を開き位置に動かし、バルブステム３０の第２端３２からエアゾル製品１１が流れることを許す。
【００５１】
図３〜６は、図１および２に示す改良作動装置１０の拡大図である。改良作動装置１０は、ベース６０および作動ボタン７０を備える。後でさらに詳しく述べるように、作動ボタン７０は、ベース６０に関して回転可能であり、図１および２に示すロック解除位置と図１９および２０に示すロック位置との間を回転し動く。作動ボタン７０は、図２６に示すように、ベース６０に関して傾けることができ、作動ボタン７０が図１および２に示すロック解除位置に回転させるとき、作動ボタン７０を傾けてエアゾルバルブ２０を作動し、エアゾル容器４０からエアゾル製品１１を供給する。作動ボタン７０を回転し、図１９および２０に示すロック位置に動かすとき、作動ボタン７０をベース６０に関して傾けることが禁止される。
【００５２】
ベース６０は、上方部分６１から下方部分６２にまで広がり、それら上下部分６１，６２の間に円筒形の側壁６３がある。ベース６０の側壁６３は、作動装置１０の対称な軸線１３に同心な二つの面、すなわち、外側表面６４と内側表面６５とを形作る。ベース６０には、ベース６０をエアゾル容器４０に固定するためのベースマウンティング６６がある。ベースマウンティング６６として、ベース６０の内側表面６５から径方向内側に広がるリング形状の突部を示している。この例では、ベースマウンティングである突部６６は、マウンティングカップ５０のリム５２にはまり合い、および／またはエアゾル容器４０のビード４６にスナップ結合する。しかし、図３０〜６０に示す大径なエアゾル容器においては、ベースマウンティングである突部６６がリング状の溝にはまり合うことを理解するであろう。
【００５３】
ベース６０には、ベース６０に対し作動ボタン７０を回転可能に取り付けるためのベースリテーナ６７がある。ベースリテーナ６７は、リング状であり、ベース６０から径方向外側に伸びる複数の突部から構成される。ベースリテーナである複数の突部６７は、エアゾル作動装置１０の対称軸線１３の回りに配列されている。
【００５４】
作動ボタン７０は、一体の構成物であり、上方部分７１から下方部分７２にまで広がり、それら上下部分７１，７２の間に円筒形の側壁７３がある。作動ボタン７０の側壁７３は、実質的に堅くて曲がらない側壁７３であり、作動装置１０の対称な軸線１３に同心な外側表面７４と内側表面７５とを形作る。作動ボタン７０の側壁７３は、堅く曲がらない作動上面７６を支持する。
【００５５】
作動ボタン７０にはボタンリテーナ７７があり、そのボタンリテーナ７７は、ベースリテーナ６７と一緒になって作動ボタン７０をベース６０に回転可能に取り付ける。ボタンリテーナ７７は、リング状であり、ボタン７０の側壁７３の内側表面７５から径方向内側に伸びる複数の突部から構成される。その径方向内側に伸びるボタンリテーナ７７が、径方向外側に伸びるベースリテーナ６７と協力し合って作動ボタン７０をベース６０に回転可能に取り付けている。
【００５６】
作動ボタン７０には、堅い作動上面７６から広がる作動面７９がある。好ましくは、作動ボタン７０を実質的に剛性のある材料で一体に構成し、作動ボタン７０の全体をユニットとしてベース６０に関して傾けることができるようにすると良い。
【００５７】
図７〜１２は、図３〜６に示すベース６０のいろいろな方向からの図である。ベース６０の第１端６１が、外側リング８０を形作っている。外側リング８０は、円筒形の側壁６３の上部部分である。円筒形の側壁６３の内側表面６５から径方向内側に複数の放射リブ８２が伸びている。それら複数の放射リブ８２は、ベースリング８４を支える。ベースリング８４は、作動装置１０の対称軸線１３と同心である。
【００５８】
複数の軸方向リブ８６が、ベースリング８４から軸方向上方に伸びている。それら複数の軸方向リブ８６は、作動装置１０の対称軸線１３から離れ実質的に平行に伸びている。複数の軸方向リブ８６は、内側リング９０を支える。内側リング９０は、外側リング８０と同心であり、それらの間にリング空間９２を形作る。三角形状の支持リブ９４の複数が、ベースリング８４からの内側リング９０を補助的に支える。
【００５９】
内側リング９０にはベースリテーナ６７があり、そのベースリテーナ６７は、ボタンリテーナ７７と一緒になって作動ボタン７０をベース６０に回転可能に取り付ける。ベースリテーナ６７は、リング状であり、ベース６０の内側リング９０から径方向外側に伸びる突部から構成される。好ましくは、ベース６０の内側リング９０を変形可能とし、ボタンリテーナ７７がベースリテーナ６７を避けて通ることができるようにすると良い。ボタンリテーナ７７がベースリテーナ６７を避けて通った後、ベースリテーナ６７はボタンリテーナ７７とかみ合い、作動ボタン７０をベース６０上に保持する。作動ボタン７０のボタンリテーナ７７は、ベースリテーナ６７とはまり合うことによって、ベース６０に対して作動ボタン７０を回転可能に支持する。
【００６０】
橋（ブリッジ）９８が、ベース６０の外側リング８０と内側リング９０との間の空間９２を横切るように伸びている。橋９８は、ベース６０の第１端６１の高さに近接した、内側リング９０の第１の部分を横切って伸びる。橋９８は、内側リング９０の周囲のわずかな部分を占める。この例では、橋９８は、作動装置１０の対称軸線１３回りに内側リング９０の周囲の５〜１０°の円弧部分を占めている。
【００６１】
フレキシブルな（曲げやすい）壁１００が、ベース６０の内側リング９０から上方に伸びている。好ましくは、そのフレキシブルな壁１００をベース６０の内側リング９０と一体に構成するのが良い。フレキシブルな壁１００は、作動装置１０の対称軸線１３の回りに伸びる部分的に円筒形のフレキシブルな壁から構成される。その部分的に円筒形のフレキシブルな壁１００の境界は、第１および第２の端縁１０１，１０２および上面１０３である。
【００６２】
ノズル１１０は、ソケット１１４から端末の開口部１１６まで伸びるノズル通路１１２を定めている。ソケット１１４は、バルブステム３０の第２端３２を少し受け入れるようになっている。ノズル１１０には、ソケット１１４の上部にノズル作動面１１８がある。端末の開口部１１６にはインサート（図示しない）を入れることによって、作動装置１０から供給するエアゾル製品１１の噴霧パターンおよび／または噴霧特性を制御することもできる。
【００６３】
ノズル１１０は、フレキシブルな壁１００に取り付けることにより、フレキシブルな壁１００の曲げあるいは変形に応じて、フレキシブルな壁１００の回りにノズル１１０を旋回させることができる。好ましくは、ベース６０の外側リング８０と内側リング９０との間の空間９２を横切るように伸びる橋９８に直接隣接させるように配置すると良い。
【００６４】
ノズル作動面１１８を押し込むと、フレキシブルな壁１００の回りにノズル１１０が旋回してバルブステム３０を押し込む。バルブステム３０が押し込まれると、弁体２８が開き位置に動き、バルブステム３０のステム通路３４およびノズル１１０のノズル通路１１２を通してエアゾル製品１１が流れ、端末の開口部１１６から放出される。
【００６５】
第２の壁１２０が、ベース６０の内側リング９０から上方に伸びている。好ましくは、その第２の壁１２０をベース６０の内側リング９０と一体に構成するのが良い。フレキシブルな壁１２０の境界は、第１および第２の端縁１２１，１２２および上面１２３である。この例では、フレキシブルな壁１００の上面１０３の方が、第２の壁１２０の上面１２３よりも大きく上方に伸びている。
【００６６】
ベース６０にはベースストップ１３０があり、そのベースストップ１３０は、作動ボタン７０と協力し合って、作動ボタン７０をベース６０に関してロックを解除するロック解除位置と、回転をロックするロック位置とを確立する。より具体的にいうと、ベースストップ１３０には、図１および２に示すように、ベース６０に対して作動ボタン７０のロック解除位置を確立するロック解除位置ストップ１３１と、図１５および１６に示すように、ベース６０に対して作動ボタン７０のロック位置を確立するロック位置ストップ１３２とがある。
【００６７】
ベース６０には、また可聴リブ１４０があり、その可聴リブ１４０は、作動ボタン７０と協力し合って、ベース６０に対する作動ボタン７０のロック解除位置およびロック位置を音を出して知らせる。より具体的には、可聴リブ１４０は、図１および２に示すように、ベース６０に対する作動ボタン７０のロック解除位置を音で知らせるロック解除可聴リブ１４１と、図１５および１６に示すように、ベース６０に対する作動ボタン７０のロック回転位置を音で知らせるロック可聴リブ１４２とを含む。
【００６８】
内側リング９０には溝１５０が設けられている。溝１５０は、内側リング９０の第１の部分を横切る橋９８とは反対の内側リング９０の第２の部分に位置している。好ましくは、両側の傾斜面１５１，１５２が溝の底１５４に集結するＶ形状の溝１５０が好ましい。
【００６９】
図１３〜１８は、図１〜６に示す作動ボタン７０のいろいろな方向からの図である。好ましくは、円筒形の側壁７３にローレット目１６０を設け、ベース６０に対して作動ボタン７０を回転させやすくするのが良い。作動ボタン７０の作動上面７６に回転インジケータ１６２を設けることにより、ベース６０に対しロック解除位置とロック位置との間を回転する作動ボタン７０の回転方向を表示することができる。作動面７９は、作動ボタン７０の剛性のある作動上面７６から拡張している。
【００７０】
作動ボタン７０にはボタンストップ１７０があり、そのボタンストップ１７０は、ベースストップ１３０と協力し合って、ベース６０に対する作動ボタン７０のロック解除位置とロック位置とを確立する。この例では、ボタンストップ１７０は、ボタン位置ストップ１７１とボタン位置ストップ１７２とを含む。
【００７１】
ボタン位置ストップ１７２には、逃げ（凹所）１７４と張り出した突部１７６とがある。張出し突部１７６は、ロック解除可聴リブ１４１およびロック可聴リブ１４２と協力し合って、ベース６０に対する作動ボタン７０の回転位置を音で知らせる。
【００７２】
作動ボタン７０には、作動ボタン７０の内側表面７５および剛性のある作動上面７６から張り出した溝リブ１８０がある。好ましくは、溝リブ１８０を作動ボタン７０とワンピースとなったユニットとして形作るのが良い。後で説明するように、溝リブ１８０は、ベース６０の内側リング９０に設けた溝１５０の中に挿入可能な大きさである。
【００７３】
図１９〜２４は、作動ボタン７０がロック位置にある、図１および２に示す改良作動装置１０をいろいろな方向から見た図である。作動ボタン７０のボタン位置ストップ１７２がベース６０のロック位置ストップ１３２に当たるまで、作動ボタン７０をベース６０に対して時計回り方向に回転し続ける。作動ボタン７０をロック回転位置に向かって時計回り方向に回転するとき、ボタン位置ストップ１７２の張出し突部１７６が、ロック解除可聴リブ１４１およびロック可聴リブ１４２を通り越し、聞き取りができる二つの別個のかちりという音を立てる。ボタン位置ストップ１７２の張出し突部１７６は、ロック可聴リブ１４２によってロック位置を保つ。
【００７４】
作動ボタン７０がロック回転位置にあるとき、ノズル端末の開口部１１６は、作動ボタン７０の側壁７３によって覆われている。溝リブ１８０が内側リング９０にはまり合い、作動ボタン７０の作動面７９がノズル作動面１１８を押し込むことを妨げる。作動ボタン７０が回転しロック位置に動くと、作動ボタン７０がベース６０に対して傾くことが禁止され、エアゾルバルブ２０の作動もまた禁止される。
【００７５】
図２５〜３０は、作動ボタン７０がロック解除位置にあり、しかも、作動ボタン７０が作動位置にある、図１および２に示す改良作動装置１０をいろいろな方向から見た図である。
【００７６】
作動ボタン７０のボタン位置ストップ１７１がベース６０のロック解除位置ストップ１３１に当たるまで、作動ボタン７０をベース６０に対して反時計回り方向に回転し続ける。作動ボタン７０をロック解除位置に向かって反時計回り方向に回転するとき、ボタン位置ストップ１７２の張出し突部１７６が、ロック解除可聴リブ１４１およびロック可聴リブ１４２を通り越し、聞き取りができる二つの別個のかちりという音を立てる。ボタン位置ストップ１７２の張出し突部１７６は、ロック解除可聴リブ１４１によってロック解除位置を保つ。  
【００７７】
作動ボタン７０がロック解除位置にあるとき、ノズル端末の開口部１１６は、作動ボタン７０のオリフィス７８と一直線に並ぶ。また、溝リブ１８０が、ベース６０の内側リング９０に設けた溝１５０と整列する。
【００７８】
操作者が作動上面７６を押し込むと、内側リング９０の第１の部分を横切るように伸びる橋９８の回りに、作動ボタン７０が全体的に傾く。溝リブ１８０をベース６０の内側リング９０に設けた溝１５０に入れながら、作動ボタン７０はユニットとしてベース６０に対して全体的に傾く。作動ボタン７０の側壁の７３の部分は、内側リング８０と外側リング９０との間の空間９２に入る。
【００７９】
作動ボタン７０が傾くと、作動面７９がノズル作動面１１８を押し込み、エアゾルバルブ２０を作動する。作動ボタン７０を回転してロック解除位置にするとき、作動ボタン７０をベース６０に対して傾けることができ、エアゾル容器４０から端末の開口部１１６を通してエアゾル製品１１を放出し供給する。
【００８０】
図３１および３２は、この発明の第２の実施例であって、エアゾルプロペラント２１２を含むエアゾル製品２１１を供給するための改良した作動装置２１０を示している。第２の実施例である改良作動装置２１０は、軸線２１３に対して左右対称である。バルブステム２３０をもつエアゾルバルブ２２０は、エアゾル容器２４０から流れるエアゾル製品２１１の流れを制御する。
【００８１】
エアゾル容器２４０は、通常の設計および材料からなる円筒形の容器である。エアゾル容器２４０は、通例、２０２缶を指す。エアゾル容器２４０を通常の設計の２０２缶として示しているが、この発明の改良作動装置２１０では、いろいろな設計のエアゾル容器を用いることができる。
【００８２】
エアゾル容器２４０は、上方部分２４１から下方部分２４２にまで広がり、それら上下部分２４１，２４２の間に円筒形の側壁２４３がある。端壁２４４がエアゾル容器２４０の下方部分２４２を閉じている。エアゾル容器２４０の上方部分２４１には、リング状のシーム２４８によってチャイム（縁部材）２４５が取り付けられ、エアゾル容器２４０の上方部分２４１を先細りに閉じている。チャイム（縁部材）２４５は、ビード２４６で終わり、ビード２４６がエアゾル容器２４０の開口２４７を形作り、そこにマウンティングカップ２５０を受け入れるようになっている。
【００８３】
マウンティングカップ２５０の周辺部にはリム２５２があり、エアゾル容器２４０のビード４６をシールしている。マウンティングカップ２５０には、また、小塔状の部分２５４があり、そこにエアゾルバルブ２２０を入れる。エアゾルバルブ２２０は、マウンティングカップ２５０の小塔状の部分２５４に固定した弁胴２２２を含む。弁胴２２２は、内部に弁キャビティ２２４を定め、その弁キャビティ２２４はディップ管２２６を通してエアゾル容器２４０と連通している。エアゾルバルブ２２０は、内部の弁キャビティ２２４の中に弁体２２８を含む。ばね２２９が弁体２２８を閉じ位置に付勢し、エアゾル製品２１１がバルブステム２３０を通して流れることを禁止する。
【００８４】
バルブステム２３０は、第１端２３１から第２端２３２にわたって伸びる。バルブステム２３０は、その内部に伸びるステム通路２３４、および外側表面２３３を形作る。ステム通路２３４は、エアゾルバルブ２２０からバルブステム２３０の第２端２３２までを連通する。バルブステム２３０を押し込むと、ばね２２９の力に抗して弁体２２８を開き位置に動かし、バルブステム２３０の第２端２３２からエアゾル製品２１１が流れることを許す。
【００８５】
図３３〜３６は、図３１および３２に示す第２の実施例である改良作動装置２１０の拡大図である。改良作動装置２１０は、ベース２６０および作動ボタン２７０を備える。作動ボタン２７０は、ベース２６０に関して回転可能であり、図３１および３２に示すロック解除位置と図４９および５０に示すロック位置との間を回転し動く。図１〜３０に示した第１の実施例である改良作動装置１０では、作動ボタン７０は、時計回りに回転することにより、ロック解除位置からロック位置へと動いた。それに対し、図３１〜６０に示す第２の実施例である改良作動装置２１０においては、作動ボタン２７０は、反時計回りに回転することにより、ロック解除位置からロック位置へと動く。
【００８６】
作動ボタン２７０は、図５５および５６に示すように、ベース２６０に関して傾けることができ、作動ボタン２７０が図３１および３２に示すロック解除位置に回転させるとき、作動ボタン２７０を傾けてエアゾルバルブ２２０を作動し、エアゾル容器２４０からエアゾル製品２１１を供給する。作動ボタン２７０を回転し、図４９および５０に示すロック位置に動かすとき、作動ボタン２７０をベース２６０に関して傾けることが禁止される。
【００８７】
ベース２６０は、上方部分２６１から下方部分２６２にまで広がり、それら上下部分２６１，２６２の間に円筒形の側壁２６３がある。ベース２６０の側壁２６３は、作動装置２１０の対称な軸線２１３に同心な二つの面、すなわち、外側表面２６４と内側表面２６５とを形作る。ベース２６０の下方部分２６２は、エアゾル容器２４０の上方部分２４１に位置するリング状シーム２４８を覆っている。
【００８８】
ベース２６０には、ベース２６０をエアゾル容器２４０に固定するためのベースマウンティング２６６がある。ベースマウンティング２６６として、径方向内側に広がる複数の突部を示している。この例では、ベースマウンティングである複数の突部２６６は、マウンティングカップ２５０の小塔状の部分２５４に摩擦結合する。しかし、ベースマウンティングである突部２６６を、エアゾル容器２４０の上方部分２４１に位置するリング状シーム２４８にスナップ結合させることもできることが分かるであろう。
【００８９】
ベース２６０には、ベース２６０に対し作動ボタン２７０を回転可能に取り付けるためのベースリテーナ２６７がある。ベースリテーナ２６７は、ベース２６０から径方向外側に伸びる複数のリング状突部２６７から構成される。ベースリテーナである複数のリング状突部２６７は、エアゾル作動装置２１０の対称軸線２１３の回りに配列されている。
【００９０】
作動ボタン２７０は、一体の構成物であり、上方部分２７１から下方部分２７２にまで広がり、それら上下部分２７１，２７２の間に円筒形の側壁２７３がある。作動ボタン２７０の側壁２７３は、実質的に堅くて曲がらない側２壁７３であり、作動装置２１０の対称な軸線２１３に同心な外側表面２７４と内側表面２７５とを形作る。作動ボタン２７０の側壁２７３は、堅く曲がらない作動上面７６を支持する。
【００９１】
作動ボタン２７０にはボタンリテーナ２７７があり、そのボタンリテーナ２７７は、ベースリテーナ２６７と一緒になって作動ボタン２７０をベース２６０に回転可能に取り付ける。ボタンリテーナ２７７は、作動ボタン２７０の側壁２７３の内側表面２７５から径方向内側に伸びる複数のリング状突部から構成される。その径方向内側に伸びるボタンリテーナ２７７が、径方向外側に伸びるベースリテーナ２６７と協力し合って作動ボタン２７０をベース２６０に回転可能に取り付けている。
【００９２】
図３７〜４２は、図３３〜３６に示すベース２６０のいろいろな方向からの図である。ベース２６０の第１端２６１が、外側リング２８０を形作っている。外側リング２８０は、円筒形の側壁２６３の上部部分である。円筒形の側壁２６３の内側表面２６５から径方向内側に複数の放射リブ２８２が伸びている。それら複数の放射リブ２８２は、内側リング２８４を支える。外側リング２８０と内側リング２８４とは、作動装置２１０の対称軸線２１３に対して同心である。
【００９３】
内側のベースプラットフォーム２８６が、内側リング２８４から径方向内側に広がり、中央にプラットフォーム孔２８８を定めている。内側のベースプラットフォーム２８６は、中央のプラットフォーム孔２８８の内部に位置する中央リング２９０を支える。中央リング２９０は、外側リング２８０と内側リング２８４と同心である。中央リング２９０は、ベース２６０の内側のベースプラットフォーム２８６から上に向かって伸びている。好ましくは、中央リング２９０をベース２６０の内側のベースプラットフォーム２８６と一体に形作るのが良い。径方向に伸びる複数のベース突部２６６が、内側のベースプラットフォーム２８６からの中央リング２９０を補助的に支える。
【００９４】
内側リング２８４にはベースリテーナ２６７があり、そのベースリテーナ２６７は、ボタンリテーナ２７７と一緒になって作動ボタン２７０をベース２６０に回転可能に取り付ける。ベースリテーナ２６７は、ベース２６０の内側リング２８４から径方向外側に伸びるリング状突部から構成される。好ましくは、ベース２６０の内側リング２８４を変形可能とし、ボタンリテーナ２７７がベースリテーナ２６７を避けて通ることができるようにすると良い。ボタンリテーナ２７７がベースリテーナ２６７を避けて通った後、ベースリテーナ２６７はボタンリテーナ２７７とかみ合い、作動ボタン２７０をベース２６０上に保持する。作動ボタン２７０のボタンリテーナ２７７は、ベースリテーナ２６７とはまり合うことによって、ベース２６０に対して作動ボタン２７０を回転可能に支持する。
【００９５】
ベース２６０の外側リング２８０と内側リング２８４との間に空間２９２がある。橋（ブリッジ）２９８が、ベース２６０の外側リング２８０と内側リング２９０との間の空間２９２を横切るように伸びている。橋２９８は、ベース２６０の第１端２６１の高さに近接した、内側リング２８４の第１の部分を横切って伸びる。橋２９８は、内側リング２８４の周囲のわずかな部分を占める。この例では、橋２９８は、作動装置２１０の対称軸線２１３回りに内側リング２８４の周囲の５〜１０°の円弧部分を占めている。
【００９６】
ベース２６０は、中央リング２９０に設けた位置決め凹所３２０をもつ。その凹所３２０は、作動ボタン２７０と一緒になって、作動ボタン２７０のベース２６０に対するロック解除位置とロック位置とを定める。より具体的には、位置決め凹所３２０は、図３１および３２に示すように、ベース２６０に対して作動ボタン２７０のロック解除位置を確立するロック解除位置決め凹所３２１と、図４９および５０に示すように、ベース２６０に対して作動ボタン２７０のロック位置を確立するロック位置決め凹所３２２とがある。
【００９７】
ベース２６０にはベースストップ３３０があり、そのベースストップ３３０は、作動ボタン２７０と協力し合って、作動ボタン２７０をベース２６０に関してロックを解除するロック解除位置と、回転をロックするロック位置とを確立する。より具体的にいうと、ベースストップ３３０には、図３１および３２に示すように、ベース２６０に対して作動ボタン２７０のロック解除位置を確立するロック解除位置ストップ３３１と、図４９および５０に示すように、ベース２６０に対して作動ボタン２７０のロック位置を確立するロック位置ストップ３３２とがある。
【００９８】
ベース２６０には、また可聴リブ３４０があり、その可聴リブ３４０は、作動ボタン２７０と協力し合って、ベース２６０に対する作動ボタン２７０のロック解除位置およびロック位置を音を出して知らせる。より具体的には、可聴リブ３４０は、図３１および３２に示すように、ベース２６０に対する作動ボタン２７０のロック解除位置を音で知らせるロック解除可聴リブ３４１と、図４９および５０に示すように、ベース２６０に対する作動ボタン２７０のロック回転位置を音で知らせるロック可聴リブ３４１とを含む。
【００９９】
ベース２６０は、中央リング２９０に設けた溝３５０を含む。その溝３５０により、図５５および５６に示すように、作動ボタン２７０をベース２６０に対して傾かせることができる。より具体的には、溝３５０には、ベース２６０の中央リング２９０内に形作った複数の溝３５１と３５２とを含む。
【０１００】
図４３〜４８は、図３１〜３６に示す作動ボタン２７０をいろいろな方向から見た図である。この発明のこの実施例において、作動ボタン２７０には、ノズル３１０が一体に作られている。好ましくは、作動ボタン２７０に対しノズル３１０をワンピースのユニットとして一体に形作るのが良い。ノズル３１０には、ソケット３１４から端末の開口部（オリフィス）３１６まで伸びるノズル通路３１２がある。ソケット３１４は、バルブステム２３０の第２端２３２をはめ合わせるように受け入れる。端末の開口部３１６は、作動ボタン２７０の側壁２７３に設けられている。その端末の開口部３１６にインサート３１８を入れることによって、作動装置２１０から供給するエアゾル製品２１１の噴霧パターンおよび／または噴霧特性を制御することもできる。
【０１０１】
図５５および５６に示すように、作動ボタン２７０を押し込むと、ノズル３１０が橋２９８の回りに旋回しバルブステム２３０を押し込む。バルブステム２３０が押し込まれると、弁体２２８が開き位置に動き、バルブステム２３０のステム通路２３４を通してエアゾル製品２１１が流れることを許し、そのエアゾル製品２１１をノズル３１０のノズル通路３１２を通して端末の開口部３１６から供給する。
【０１０２】
好ましくは、円筒形の側壁２７３にローレット目３６０を設け、ベース２６０に対して作動ボタン２７０を回転させやすくするのが良い。作動ボタン２７０の作動上面２７６に回転インジケータ３６２を設けることにより、ベース２６０に対しロック解除位置とロック位置との間を回転する作動ボタン２７０の回転方向を表示することができる。
【０１０３】
作動ボタン２７０は、作動上面２７６の内側表面２７５に一体的に形成した従属壁３７０を含む。この例において、従属壁３７０は部分的な円筒形壁であり、その径は中央のプラットフォーム孔２８８と協力し合う大きさである。従属壁３７０には、位置決め突部３７１が盛り上がり、ロック解除位置決め凹所３２１およびロック位置決め凹所３２２にかみ合うようになっている。
【０１０４】
作動ボタン２７０は溝リブ３８０をもつ。その溝リブ３８０は、作動ボタン２７０の内側表面２７５から剛性のある作動上面２７６にまで伸びている。好ましくは、溝リブ３８０を作動ボタン２７０とワンピースのユニットに構成するのが良い。より具体的には、溝リブ３８０は、複数のリブ３８１，３８２を含み、それら複数のリブは、ノズル３１０とともに、エアゾル作動装置２１０の対称軸線２１３の回りに等間隔に配置されている。
【０１０５】
作動ボタン２７０が図３１および３２に示すロック解除位置を成立させるとき、複数の溝リブ３８１，３８２は、ベース２６０の中央リング２９０内に設けた複数の溝３５１，３５２と一直線に並ぶ。また、作動ボタン２７０が図４９および５０に示すロック位置を成立させるとき、一方の溝リブ３８１だけが溝３５１と一直線に並ぶ。作動ボタン２７０が図４９および５０に示すロック位置を成立させるとき、他方の溝リブ３８２は、ベース２６０の中央リング２９０内に設けた複数の溝３５１，３５２のどちらとも一直線にならない。
【０１０６】
後で述べるように、複数の溝リブ３８１，３８２は、ベースストップ３３０と協力し合って、ベース２６０に対する作動ボタン２７０のロック解除位置とロック位置とを確立する。複数の溝リブ３８１，３８２は、また、可聴リブ３４０と協力し合って、ベース２６０に対する作動ボタン２７０のロック解除位置とロック位置とを音を出して知らせる。
【０１０７】
図４９〜５４は、作動ボタン２７０がロック位置にある、図３１および３２に示す改良作動装置２１０をいろいろな方向から見た図である。位置決め突部３７１がロック解除位置決め凹所３２１からロック位置決め凹所３２２に移動するまで、作動ボタン２７０をベース２６０に対して反時計回り方向に回転し続ける。それに付随して、作動ボタン２７０の溝リブ３８２がベース２６０のロック位置ストップ３３２に当たるまで、作動ボタン２７０をベース２６０に対して反時計回り方向に回転する。作動ボタン２７０をロック解除位置からロック位置まで反時計回りに回転する間、作動ボタン２７０の溝リブ３８１，３８２が、ロック解除可聴リブ３４１およびロック可聴リブ３４２をそれぞれ通り越し、聞き取りができる二つの別個のかちりという音を立てる。作動ボタン２７０の溝リブ３８２は、図５４に示すように、ロック位置ストップ３３２とロック可聴リブ３４２との間のロック位置を保つ。  
【０１０８】
作動ボタン２７０がロック位置にあるとき、溝リブ３８１は、ベース２６０の中央リング２９０に当たり、作動ボタン２７０がベース２６０に対して傾くことを防ぐ。作動ボタン２７０がロック位置に回転し動くと、ノズル３１０がエアゾルバルブ２２０を作動することを禁止する。
【０１０９】
図５５〜６０は、作動ボタン２７０がロック解除位置にあり、しかも、作動ボタン２７０が作動位置にある、図３１および３２に示す改良作動装置２１０をいろいろな方向から見た図である。位置決め突部３７１がロック位置決め凹所３２２からロック解除位置決め凹所３２１に移動するまで、作動ボタン２７０をベース２６０に対して時計回り方向に回転し続ける。それに付随して、作動ボタン２７０の溝リブ３８１がベース２６０のロック解除位置ストップ３３１に当たるまで、作動ボタン２７０をベース２６０に対して時計回り方向に回転する。作動ボタン２７０をロック位置からロック解除位置まで時計回りに回転する間、作動ボタン２７０の溝リブ３８１，３８２が、ロック解除可聴リブ３４１およびロック可聴リブ３４２をそれぞれ通り越し、聞き取りができる二つの別個のかちりという音を立てる。作動ボタン２７０の溝リブ３８１は、図５４に示すように、ロック位置ストップ３３１とロック可聴リブ３４１との間のロック解除位置を保つ。
【０１１０】
ロック解除位置において、作動ボタン２７０が図６０に示すロック解除位置を成立するとき、複数の溝リブ３８１，３８２は、ベース２６０の中央リング２９０内に設けた複数の溝３５１，３５２と一直線に並ぶ。
【０１１１】
操作者が作動上面２７６を押し込むと、内側リング２８４の第１の部分を横切るように伸びる橋２９８の回りに、作動ボタン２７０が全体的に傾く。複数の溝リブ３８１，３８２をベース２６０の中央リング２９０内に設けた複数の溝３５１，３５２に入れながら、作動ボタン２７０はユニットとしてベース２６０に対して全体的に傾く。作動ボタン２７０の側壁の２７３の部分は、外側リング２８０と内側リング２８４との間の空間２９２に入る。
【０１１２】
作動ボタン２７０が傾くことにより、一体のノズル３１０を傾けてエアゾルバルブ２２０を作動する。作動ボタン２７０を回転してロック解除位置にするとき、作動ボタン２７０をベース２６０に対して傾けることができ、エアゾルバルブ２２０を作動させてエアゾル容器２４０からエアゾル製品１１を供給し、端末の開口部３１６から放出し供給する。
【０１１３】
この発明は、エアゾル製品の供給を許すロック解除位置とエアゾル製品の供給を禁止するロック位置との間を回転する作動ボタンをもつ改良作動装置を提供する。改良作動装置は、その作動ボタンをロック解除位置に回転し位置させるとき、作動ボタンを傾けてエアゾル製品を供給することができ、また、作動ボタンをロック位置に回転し位置させるとき、作動ボタンを傾けることを禁止する。作動ボタンを回転しロック位置に動かすとき、その作動上面を押し込むことに応じて、作動ボタンは、本質的に、剛性のある単一のユニットとして全体的に傾く。
【０１１４】
この発明の内容には、以上に述べた内容だけでなく、付随する特許請求の範囲の内容をも含む。この発明について、好ましい形態をある程度詳しく説明したが、その好ましい形態の説明は、あくまで例示であり、この発明の考え方および思想の範囲の中で、その構成の詳細部分や部品の組合わせおよび配置について多くの変形をすることができる。
【図面の簡単な説明】
【０１１５】
【図１】エアゾル容器上にある、この発明の改良した作動装置の第１の実施例を斜め上方から見た斜視図である。
【図２】図１の２−２線に沿う、拡大した部分断面図である。
【図３】図１の改良した作動装置の拡大した正面図である。
【図４】図３の底面図である。
【図５】図３の５−５線に沿う断面図である。
【図６】図３の６−６線に沿う断面図である。
【図７】図１〜６に示す改良した作動装置のベース部分を斜め上方から見た斜視図である。
【図８】図１〜６に示すベースの上面図である。
【図９】図７のベースの左側面図である。
【図１０】図７のベースの右側面図である。
【図１１】図８の底面図である。
【図１２】図８の１２−１２線に沿う断面図である。
【図１３】図１〜６に示す作動ボタンを上方から見た斜視図である。
【図１４】図１〜６に示す作動ボタンを底面側から見た斜視図である。
【図１５】図１３〜１４に示す作動ボタンの上面図である。
【図１６】図１５の作動ボタンの側面図である。
【図１７】図１６の底面図である。
【図１８】図１５の１８−１８線に沿う断面図である。
【図１９】図１と同様の斜め上方からの斜視図であり、作動ボタンがロック位置にある状態を示している。
【図２０】図１９の２０−２０線に沿う、拡大した部分断面図である。
【図２１】図２０の改良した作動装置の拡大正面図である。
【図２２】図２１の底面図である。
【図２３】図２１の２３−２３線に沿う断面図である。
【図２４】図２１の２４−２４線に沿う断面図である。
【図２５】図１と同様の斜め上方からの斜視図であり、作動ボタンがロック解除位置にあり、しかも、作動状態を示している。
【図２６】図２５の２６−２６線に沿う、拡大した部分断面図である。
【図２７】図２５の改良した作動装置の拡大正面図である。
【図２８】図２７の底面図である。
【図２９】図２７の２９−２９線に沿う断面図である。
【図３０】図２９と同様の断面図であり、ノズルの一部分が省略されている。
【図３１】エアゾル容器上にある、この発明の改良した作動装置の第２の実施例を斜め上方から見た斜視図である。
【図３２】図３１の３２−３２線に沿う、拡大した部分断面図である。
【図３３】図３１の改良した作動装置の拡大した正面図である。
【図３４】図３３の底面図である。
【図３５】図３３の３５−３５線に沿う断面図である。
【図３６】図３３の３６−３６線に沿う断面図である。
【図３７】図３１〜３６に示す改良した作動装置のベース部分を斜め上方から見た斜視図である。
【図３８】図３１〜３６に示すベースの上面図である。
【図３９】図３７のベースの左側面図である。
【図４０】図３７のベースの右側面図である。
【図４１】図３８の底面図である。
【図４２】図３８の４２−４２線に沿う断面図である。
【図４３】図３１〜３６に示す作動ボタンを上方から見た斜視図である。
【図４４】図３１〜３６に示す作動ボタンを底面側から見た斜視図である。
【図４５】図４３〜４４に示す作動ボタンの上面図である。
【図４６】図４５の作動ボタンの側面図である。
【図４７】図４６の底面図である。
【図４８】図４５の４８−４８線に沿う断面図である。
【図４９】図３１と同様の斜め上方からの斜視図であり、作動ボタンがロック位置にある状態を示している。
【図５０】図４９の５０−５０線に沿う、拡大した部分断面図である。
【図５１】図５０の改良した作動装置の拡大正面図である。
【図５２】図５１の底面図である。
【図５３】図５１の５３−５３線に沿う断面図である。
【図５４】図５１の５４−５４線に沿う断面図である。
【図５５】図３１と同様の斜め上方からの斜視図であり、作動ボタンがロック解除位置にあり、しかも、作動状態を示している。
【図５６】図５５の５６−５６線に沿う、拡大した部分断面図である。
【図５７】図５５の改良した作動装置の拡大正面図である。
【図５８】図５７の底面図である。
【図５９】図５７の５９−５９線に沿う断面図である。
【図６０】図５９と同様の断面図であり、ノズルの一部分が省略されている。
【符号の説明】
【０１１６】
１０  改良作動装置
１１  エアゾル製品
２０  エアゾルバルブ
４０  エアゾル容器
６０  ベース
６６  ベースマウンティング
７０  作動ボタン
７３  側壁
７６  作動上面
７８  オリフィス
８０  外側リング
８２  放射リブ
９０  内側リング
９８  橋
１１０  ノズル
１１２  ノズル通路
１１６  端末の開口部
１３１  ロック解除位置ストップ
１３２  ロック位置ストップ
【図１】
0004471972.tif 000002
【図２】
0004471972.tif 000003
【図３】
0004471972.tif 000004
【図４】
0004471972.tif 000005
【図５】
0004471972.tif 000006
【図６】
0004471972.tif 000007
【図７】
0004471972.tif 000008
【図８】
0004471972.tif 000009
【図９】
0004471972.tif 000010
【図１０】
0004471972.tif 000011
【図１１】
0004471972.tif 000012
【図１２】
0004471972.tif 000013
【図１３】
0004471972.tif 000014
【図１４】
0004471972.tif 000015
【図１５】
0004471972.tif 000016
【図１６】
0004471972.tif 000017
【図１７】
0004471972.tif 000018
【図１８】
0004471972.tif 000019
【図１９】
0004471972.tif 000020
【図２０】
0004471972.tif 000021
【図２１】
0004471972.tif 000022
【図２２】
0004471972.tif 000023
【図２３】
0004471972.tif 000024
【図２４】
0004471972.tif 000025
【図２５】
0004471972.tif 000026
【図２６】
0004471972.tif 000027
【図２７】
0004471972.tif 000028
【図２８】
0004471972.tif 000029
【図２９】
0004471972.tif 000030
【図３０】
0004471972.tif 000031
【図３１】
0004471972.tif 000032
【図３２】
0004471972.tif 000033
【図３３】
0004471972.tif 000034
【図３４】
0004471972.tif 000035
【図３５】
0004471972.tif 000036
【図３６】
0004471972.tif 000037
【図３７】
0004471972.tif 000038
【図３８】
0004471972.tif 000039
【図３９】
0004471972.tif 000040
【図４０】
0004471972.tif 000041
【図４１】
0004471972.tif 000042
【図４２】
0004471972.tif 000043
【図４３】
0004471972.tif 000044
【図４４】
0004471972.tif 000045
【図４５】
0004471972.tif 000046
【図４６】
0004471972.tif 000047
【図４７】
0004471972.tif 000048
【図４８】
0004471972.tif 000049
【図４９】
0004471972.tif 000050
【図５０】
0004471972.tif 000051
【図５１】
0004471972.tif 000052
【図５２】
0004471972.tif 000053
【図５３】
0004471972.tif 000054
【図５４】
0004471972.tif 000055
【図５５】
0004471972.tif 000056
【図５６】
0004471972.tif 000057
【図５７】
0004471972.tif 000058
【図５８】
0004471972.tif 000059
【図５９】
0004471972.tif 000060
【図６０】
0004471972.tif 000061